【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
コンパートメントを液体で部分的に湿潤させるための相ガイドパターンであって、
前記コンパートメントに少なくとも一定量の液体体積の境界を形成するための少なくとも１つの閉じ込め式相ガイドが設けられ、前記液体体積の境界の少なくとも一部は前記コンパートメントの壁面によって閉じられておらず、
前記相ガイドは、前進面が相ガイドを越える前に相ガイドに沿って整列されるように、前進相面の全長に及ぶ毛管圧バリアである、相ガイドパターン。
【請求項２】
充填プロセス中のある時点に前進または後退液体を閉じ込める少なくとも２つの相ガイドを含む、請求項１に記載の相ガイドパターン。
【請求項３】
前記相ガイドは、メニスカスが相ガイドを飛び越える前に少なくとも部分的に相ガイドに沿って整列するように、毛管圧境界として作用する、移動液体／気体、液体／油、または気体／油メニスカスの全長に亘り湿潤性の異なる材料の溝、隆起、または線を含んでなる、請求項１又は２に記載の相ガイドパターン。
【請求項４】
超過液体を受けることによって、前記閉じ込め式相ガイドのオーバーフローを防止するためのオーバフローコンパートメントが設けられている、請求項１〜３のいずれか１項記載の相ガイドパターン。
【請求項５】
排出チャネルを更に備える、請求項１〜３のいずれか１項記載の相ガイドパターン。
【請求項６】
１以上の支援相ガイドを更に備える、請求項１〜３のいずれか１項記載の相ガイドパターン。
【請求項７】
コンパートメント内に含まれた液体の流れをガイドするための相ガイドパターンであって、
前記相ガイドは、前進面が相ガイドを越える前に相ガイドに沿って整列されるように、前進相面の全長に及ぶ毛管圧バリアであり、
前記相ガイドパターンの少なくとも１つの相ガイドは、液体相による相ガイドのオーバフローが生ずる位置を制御すべく、前記相ガイドに沿って工学的な毛管力の局所的変化が生ずる形状とされ、
液体による相ガイドの前記オーバフローが引き起こされる相ガイドに沿った前記位置は、毛管力が局所的に変化する位置にあると共に相ガイドの最も弱い点を表し、よって、相ガイドの安定性が規定される、相ガイドパターン。
【請求項８】
前記液体が前進する場合において、前記毛管力の変化は毛管力の増大であり、
前進液体相から離れた側で、前記相ガイドパターンは前記コンパートメントの第１の壁面との間に第１の角度を、前記コンパートメントの第２の壁面との間に第２の角度を、それぞれ形成し、前記第１の角度は前記第２の角度よりも小さく、よって、この小さいほうの角度部でオーバフローが引き起こされるか、または
前進相とは離れた側に、相ガイドと前記コンパートメントの第１および第２の壁面とによって形成されたいずれの角度よりも小さい屈曲角を有する相ガイド屈曲部が導入されるか、または
相ガイドの前進相から離れた側に、枝分かれ構造が設けられ、相ガイドと前記枝分かれ構造とによって形成される角度は、相ガイドと前記コンパートメントの第１および第２の壁面とによって形成されたいずれの角度よりも小さい、請求項７記載の相ガイドパターン。
【請求項９】
前記液体が後退する場合において、前記毛管力の変化は毛管力の減少であり、
後退液体相から離れた側で、前記相ガイドパターンは前記コンパートメントの第１の壁面との間に第１の角度を、前記コンパートメントの第２の壁面との間に第２の角度を、それぞれ形成し、前記第１の角度は前記第２の角度よりも小さく、よって、この小さいほうの角度部でオーバフローが引き起こされるか、または
後退相とは離れた側に、相ガイドと前記コンパートメントの第１および第２の壁面とによって形成されたいずれの角度よりも小さい屈曲角を有する相ガイドの屈曲部が導入されるか、または
相ガイドの後退相から離れた側に、枝分かれ構造が設けられ、相ガイドと前記枝分かれ構造とによって形成される角度は相ガイドと前記コンパートメントの第１および第２の壁面とによって形成されたいずれの角度よりも小さい、請求項７記載の相ガイドパターン。
【請求項１０】
前記相ガイドは、メニスカスが相ガイドを飛び越える前に少なくとも部分的に相ガイドに沿って整列するように、毛管圧境界として作用する、移動液体／気体、液体／油、または気体／油メニスカスの全長に亘り湿潤性の異なる材料の溝、隆起、または線を含んでなる、請求項７〜９のいずれか１項記載の相ガイドパターン。
【請求項１１】
充填プロセス中のある時点に前進または後退液体を閉じ込める少なくとも２つの相ガイドを含んでなり、前記相ガイドは、所定の順序による相ガイドの順次的オーバフローおよび／または選択的オーバフローを定めるために、安定性が相違している、請求項７〜１０のいずれか１項記載の相ガイドパターン。
【請求項１２】
少なくとも１つの閉じ込め式相ガイドが前記コンパートメント内で少なくとも１つの液体体積の境界を形成するために設けられ、前記液体体積の境界の少なくとも一部は前記コンパートメントの壁面によっては閉じ込められていない、請求項２〜１１のいずれか１項記載の相ガイドパターン。
【請求項１３】
超過液体を受容するためにオーバフローコンパートメントが設けられ、これによって、閉じ込め式相ガイドのオーバフローが防止される、請求項２〜１２のいずれか１項記載の相ガイドパターン。
【請求項１４】
前記オーバフローコンパートメントはいずれの閉じ込め式相ガイドよりも低い安定性を有する相ガイドによって閉鎖される、請求項１３記載の相ガイドパターン。
【請求項１５】
互いに隣接する液体体積を順次に挿填または排出するために閉じ込め式相ガイドが設けられる、請求項２〜１４のいずれか１項記載の相ガイドパターン。
【請求項１６】
充填または排出中の液体形状を維持するための少なくとも１つの輪郭相ガイドをさらに含んでなる、請求項１５記載の相ガイドパターン。
【請求項１７】
２つまたはそれ以上の液体が少なくとも２つの閉じ込め式相ガイドによって分離されており、前記液体は少なくとも１つの閉じ込め式相ガイドのオーバフローによって合体可能であるか、または
前記輪郭相ガイド間の空のスペースへの付加的な液体の挿填によって合体可能である、請求項２〜１６のいずれか１項記載の相ガイドパターン。
【請求項１８】
液体は少なくとも２つの閉じ込め式相ガイドによって閉じ込められており、最初にオーバフローされる相ガイドの安定性は他方の相ガイドの安定性よりも低い、請求項２〜１７のいずれか１項記載の相ガイドパターン。
【請求項１９】
前記安定性を低減させるために、オーバフローされるべき相ガイドの相ガイド−壁面接触角の少なくとも１つは、他方の閉じ込め式相ガイドの相ガイド−壁面接触角のいずれよりも小さく選択されるか、または
前記安定性を低減させるために、オーバフローされるべき相ガイドに、閉じ込め式相ガイドの相ガイド−壁面接触角のいずれよりも小さい屈曲角を有する屈曲部が導入されるか、または
前記安定性を低減させるために、閉じ込め式相ガイドの相ガイド−壁面接触角のいずれよりも小さい角度が形成されるようにして枝分かれ構造が設けられる、請求項１８記載の相ガイドパターン。
【請求項２０】
少なくとも１つの相ガイドは、前記相ガイドが設けられなければ充填中に湿潤されなかったか、もしくは排出中に排出されなかったと考えられるスペースによって形成される少なくとも１つの死角から発している、請求項２〜１９のいずれか１項記載の相ガイドパターン。
【請求項２１】
排出チャネルは、想定されるマイクロ流体スペースが、前進液体の場合において完全に充填されるか、または、後退液体の場合において完全に排出されるまでメニスカスが排出構造に侵入することをブロックする遅延相ガイドによって閉鎖される請求項２０記載の相ガイドパターン。
【請求項２２】
充填または排出されるべきコンパートメントの境界から一定の距離を保ってコンパートメントの輪郭に追従する少なくとも１つの輪郭相ガイドが設けられる、請求項２〜２１のいずれか１項記載の相ガイドパターン。
【請求項２３】
請求項２２記載の相ガイドパターンを含んだコンパートメントを充填および／または排出する方法であって、最初にスペース全体の輪郭が充填され、続いて、付加的な輪郭相ガイドによって所要の形状に向かって徐々に操作されるか、または  最初にスペース全体の輪郭が排出され、続いて、付加的な輪郭相ガイドによってスペースが徐々に排出される、方法。
【請求項２４】
請求項１〜２３のいずれか１項記載の相ガイドパターンを１以上備える液体のコンパートメント。